(57)【特許請求の範囲】
【請求項１】
シャフトと、このシャフトの端部に取付られたグリップと、このグリップが取り付けられたシャフトの端部に取り付けられたキャビティ体と、このキャビティ体に着脱可能に取り付けられた重量体とを備えており、
このキャビティ体がポリマーからなっており、
このキャビティ体がシャフトの内部に挿入される挿入部とシャフト端面に当接する鍔部とを備えており、
この挿入部の外周面がシャフトの内周面に当接しており、
この挿入部の外周面又はシャフトの内周面の一方に２以上の突起が形成され、その他方に２以上の凹部が形成されており、
この２以上の突起と２以上の凹部とが係合しているゴルフクラブ。
【請求項２】
上記キャビティ体のポリマーの複素弾性率（温度５°Ｃ、周波数１０Ｈｚの条件での測定値）が１．０×１０８dyn／cm２以上１．０×１０10dyn／cm２以下である請求項１に記載のゴルフクラブ。
【請求項３】
上記重量体が頭部と、係合部と、頭部と係合部との間に位置する首部とを備えており、この係合部の断面形状は非円形であり、
上記キャビティ体が内部空間と、この内部空間を囲む内面と、キャビティ体の上面から内部空間に貫通する貫通孔とを備えており、この貫通孔の形状が非円形であり、
この係合部及び首部が貫通孔からキャビティ体に挿入されている挿入状態で、重量体がキャビティ体に対して貫通孔の軸線を回転軸に所定の角度θだけ回転することにより非係合姿勢と係合姿勢との間で姿勢変化可能にされており、
この挿入状態では重量体の頭部がキャビティ体の上面に当接しており、首部が貫通孔に位置しており、係合部が内部空間に位置しており、
この非係合姿勢では係合部及び首部が貫通孔から引き抜き可能にされており、
この係合姿勢では係合部が貫通孔の縁に係合して係合部及び首部が貫通孔から引き抜きできないようにされており、
この内部空間を囲む内面が抵抗面及び当接面を備えており、
この係合姿勢で当接面が係合部に当接しており、  
非係合姿勢から係合姿勢に姿勢変化するときに、抵抗面が係合部と摺動して回転抵抗を付与しており、
この係合姿勢では、当接面と抵抗面とにより係合部が回転方向に位置決めされている請求項１又は２に記載のゴルフクラブ。
【請求項４】
上記角度θが９０°以下である請求項３に記載のゴルフクラブ。
【請求項５】
上記キャビティ体がシャフトに着脱可能に取り付けられており、
上記鍔部のシャフト軸方向長さが異なる複数のキャビティ体を備えており、
この複数のキャビティ体のうちの一のキャビティ体を取り付けてゴルフクラブのシャフトと鍔部とを合わせた軸方向長さが調整可能にされている請求項１から４のいずれかに記載のゴルフクラブ。
【請求項６】
上記キャビティ体が二種類以上のポリマーからなっており、これらのポリマーの複素弾性率が異なっている請求項１から５のいずれかに記載のゴルフクラブ。
【発明の詳細な説明】
【技術分野】
【０００１】
本発明は、クラブバランスの調整が可能なゴルフクラブに関する。
【背景技術】
【０００２】
ゴルフクラブのクラブバランス（スイングウェイト）は、スイングのし易さに寄与する。ゴルファーそれぞれに適するクラブバランスは異なる。このクラブバランスを調整するために、シャフトの一端に重量物を挿入したもの、クラブのヘッド内にジェルが注入されたもの、シャフトの他端やグリップに重量物を取り付けたもの等が提供されている。
【０００３】
例えば、グリップに着脱可能にウェイトを取り付けたゴルフクラブが、特許第４５０７２６６号公報に開示されている。グリップエンドに突出するウェイトが取り付けられたゴルフクラブが、特許第３８２６３１３号公報及び特開２００１−２５２３７７号公報に開示されている。また、シャフトの他端部にウェイトが移動可能に取り付けられたゴルフクラブが、実開平０６−３９０３９号公報及び実開平０５−８２４５４号公報に開示されている。
【０００４】
これらのゴルフクラブでは、ウェイトを取り換えたり、ウェイトの取付位置を変更することで、クラブのウェイトバランスを変更しうる。ウェイトバランスを変更することで、クラブバランスが調整される。これにより、ゴルフクラブは、ゴルファーに適したクラブバランスに調整されうる。
【０００５】
また、軽量化されたゴルフクラブでは、ボールを打撃した際に手に伝わる衝撃が大きくなり易い。オフセンターでボールが打撃された際に手に伝わる衝撃は更に大きくなり易い。この衝撃振動を吸収するために、ウェイトをシャフトに取り付けたゴルフクラブが、特開平１０−７１２２２号公報に開示されている。このゴルフクラブでは、弾性体で被覆されたウェイトが着脱可能に取り付けられている。このゴルフクラブは、衝撃振動を吸収しうる。
【先行技術文献】
【特許文献】
【０００６】
【特許文献１】特許第４５０７２６６号公報
【特許文献２】特許第３８２６３１３号公報
【特許文献３】特開２００１−２５２３７７号公報
【特許文献４】実開平０６−３９０３９号公報
【特許文献５】実開平０５−８２４５４号公報
【特許文献６】特開平１０−７１２２２号公報
【発明の概要】
【発明が解決しようとする課題】
【０００７】
ゴルファーが握るグリップは比較的に柔らかい材料からなっている。グリップに着脱可能に取り付けられた重量物は、取付位置が安定し難い。また、重量物がネジで取り付けられれば確実に固定し得るが、着脱に手間がかかる。重量物の取付位置を変更してクラブバランスが調整されるゴルフクラブでは、重量物の重量が変わらないので、位置変更が大きくされないと十分なクラブバランスの調整が難しい。このゴルフクラブでも、クラブバランスの調整に手間がかかる。
【０００８】
また、ゴルフクラブの軽量化は更に進められており、手に受ける衝撃力が大きくなりやすく、ゴルフクラブの振動吸収性についても更なる向上が要望されている。
【０００９】
本発明の目的は、クラブバランスの調整が容易でかつ振動吸収性に優れるゴルフクラブの提供にある。
【課題を解決するための手段】
【００１０】
本発明に係るゴルフクラブは、シャフトと、このシャフトの端部に取付られたグリップと、このグリップが取り付けられたシャフトの端部に取り付けられたキャビティ体と、このキャビティ体に着脱可能に取り付けられた重量体とを備えている。このキャビティ体はポリマーからなっている。
【００１１】
好ましくは、上記キャビティ体の外周面は、シャフトの内周面に当接して取り付けられている。キャビティ体の外周面又はシャフトの内周面の一方に、２以上の突起が形成されている。その他方に２以上の凹部が形成されている。この２以上の突起と２以上の凹部とが係合している。
【００１２】
好ましくは、上記キャビティ体のポリマーの複素弾性率（温度５°Ｃ、周波数１０Ｈｚの条件での測定値）は、１．０×１０８dyn／cm２以上１．０×１０10dyn／cm２以下である。
【００１３】
好ましくは、上記重量体は、頭部と、係合部と、頭部と係合部との間に位置する首部とを備えている。この係合部の断面形状は非円形である。上記キャビティ体は、内部空間と、この内部空間を囲む内面と、キャビティ体の上面から内部空間に貫通する貫通孔とを備えている。この貫通孔の形状は、非円形である。
この係合部及び首部が貫通孔からキャビティ体に挿入されている挿入状態で、重量体がキャビティ体に対して貫通孔の軸線を回転軸に所定の角度θだけ回転して、非係合姿勢と係合姿勢との間で姿勢変化可能にされている。
この挿入状態では、重量体の頭部がキャビティ体の上面に当接しており、首部が貫通孔に位置しており、係合部が内部空間に位置している。この非係合姿勢では、係合部及び首部が貫通孔から引き抜き可能にされている。この係合姿勢では、係合部が貫通孔の縁に係合して係合部及び首部が貫通孔から引き抜きできないようにされている。
キャビティ体の内部空間を囲む内面が抵抗面及び当接面を備えている。この係合姿勢で当接面が係合部に当接している。非係合姿勢から係合姿勢に姿勢変化するときに、抵抗面が係合部と摺動して回転抵抗を付与している。この係合姿勢では、当接面と抵抗面とにより、係合部は回転方向に位置決めされている。
【００１４】
好ましくは、上記角度θは９０°以下である。
【００１５】
好ましくは、上記キャビティ体は、シャフトの内部に挿入される挿入部とシャフト端面に当接する鍔部とを備えている。このゴルフクラブは、鍔部のシャフト軸方向長さが異なる複数のキャビティ体を備えており、この複数のキャビティ体のうちの一のキャビティ体が取り付けられて、長さが調整可能にされている。
【００１６】
好ましくは、上記キャビティ体が二種類以上のポリマーからなっている。これらのポリマーの複素弾性率は異なっている。
【発明の効果】
【００１７】
本発明に係るゴルフクラブでは、ポリマーからなるキャビティ体を介して重量体がシャフトに取り付けられているので、重量体の着脱が容易にされており、クラブバランスの調整が容易にされている。このゴルフクラブは振動吸収性に優れている。
【図面の簡単な説明】
【００１８】
【図１】図１は、本発明の一実施形態に係るゴルフクラブが示された正面図である。
【図２】図２は、図１のゴルフクラブのグリップエンド近傍の断面が示された説明図である。
【図３】図３は、図２に示されたキャビティ体の説明図である。
【図４】図４は、図２に示された重量体の説明図である。
【図５】図５は、図２に示されたシャフトの他端部、キャビティ体及び重量体が示された説明図である。
【図６】図６は、図２に示された重量体の着脱に用いられる工具の説明図である。
【図７】図７は、図６の工具の断面が示された説明図である。
【図８】図８は、図１のゴルフクラブの使用状態が示された説明図である。
【図９】図９は、本発明の他の実施形態にかかるゴルフクラブのキャビティ体の断面が示された説明図である。
【図１０】図１０は、本発明の更に他の実施形態にかかるゴルフクラブの一部分の断面が示された説明図である。
【図１１】図１１は、面外一次減衰率の測定方法を説明するための説明図である。
【図１２】図１２は、面外一次減衰率の算出方法を説明するための説明図である。
【発明を実施するための形態】
【００１９】
以下、適宜図面が参照されつつ、好ましい実施形態に基づいて本発明が詳細に説明される。
【００２０】
図１のゴルフクラブ２は、ヘッド４、シャフト６及びグリップ８を備えている。ヘッド４は、シャフト６の一端部に取り付けられている。グリップ８は、シャフト６の他端部に取り付けられている。特に説明しない限り、以下の説明で「軸方向」とは、シャフト６の中心軸線の方向を意味する。
【００２１】
このヘッド４は、ウッド型ヘッドである。このヘッド４は例示であり、このヘッド４に代えて、アイアン型ヘッド及びパター型ヘッドが用いられてもよい。シャフト６は長尺円筒形状を備えている。シャフト６として、スチールシャフト及びいわゆるカーボンシャフトが例示される。
【００２２】
グリップ８は、略円筒形状を備えている。図示されないが、グリップ８の外周面である把持面８ａには溝が形成されている。ゴルフクラブ２がスイングされるときにゴルファーがこの把持面８ａを握る。
【００２３】
このグリップ８の材料は特に限定されないが、ゴムが好ましい。例えば、天然ゴム、スチレンブタジエンゴム、ＥＰＤＭ、イソプレンゴム及びこれらの混合物が好ましい。グリップ８の成形性の観点から、ＥＰＤＭ及びスチレンブタジエンゴムが更に好ましい。
【００２４】
図２に示されるように、ゴルフクラブ２は、キャビティ体１０、重量体１２及びキャップ１４を備えている。キャビティ体１０は、シャフト６の他端から内周面６ａに挿入されて着脱可能に取り付けられている。重量体１２は、キャビティ体１０に着脱可能に取り付けられている。グリップ８は、シャフト６の他端部に取り付けられている。グリップ８は、シャフト６の他端部と、キャビティ体１０と、重量体１２とを覆っている。キャップ１４は、グリップ８の開口８ｂを塞いでいる。
【００２５】
図３に示されるように、キャビティ体１０は、挿入部１６、鍔部１８及び突起２０を備えている。挿入部１６の外形は円柱形である。鍔部１８の外形も円柱形である。挿入部１６の外径Ｄ１は、鍔部１８の外径Ｄ２より小さい。挿入部１６の上端と鍔部１８の下端とがそれぞれの軸線を一致させて重ねられて一体にされている。突起２０は、挿入部１６の外周面１６ａに設けられている。突起２０は、鍔１８から挿入部１６の軸線に平行に挿入部１６の下端側に向かって伸びている。ここでは、２つの突起２０が挿入部１６の周方向に等間隔に形成されている。
【００２６】
キャビティ体１０には、貫通孔２２と、内部空間としての孔２４とが形成されている。貫通孔２２は、キャビティーの上方から孔２４に貫通している。この貫通孔２２の断面は、例えば略正方形である。ここでは、この貫通孔２２の断面として略正方形が例示されたが、貫通孔２２の断面は、長方形、五角形、楕円形等、非円形の断面であればよい。
【００２７】
キャビティ体１０の下端面から所定の深さＬ１で、孔２４が形成されている。この孔２４は、内面２５で囲まれている。この内面２５は、抵抗面２６及び当接面２７を備えている。
【００２８】
このキャビティ体１０は、ポリマーからなる。このポリマーは、硬質である。このポリマーは、弾性変形しうる。ポリマーとしては、樹脂又はゴムが好ましく、ここでは樹脂を例に説明がされる。この樹脂として、加工性の観点からは熱可塑性樹脂及びこれらの繊維強化樹脂が好ましく、ポリウレタン、ポリエーテルブロック共重合体及びポリカーボネート等が例示される。
【００２９】
図４に示されるように、重量体１２は、頭部２８、首部３０及び係合部３２からなる。頭部２８の形状及び首部３０の形状は略円柱である。頭部２８の上端面の中央に、四角孔３４が形成されている。この頭部２８の外周面に複数の切欠３６が形成されている。頭部２８の外径Ｄ３は首部の外径Ｄ４より大きい。
【００３０】
係合部３２の断面は非円形である。例えば、この断面は略正方形である。係合部３２は貫通孔２２を通り抜け可能されている。ここでは、この係合部３２は、四角柱である。両矢印Ｌ２は、係合部３２の略正方形断面の一辺の長さを示している。両矢印Ｌ３は、この略正方形断面の対角線の長さを示している。この長さＬ２は首部３０の外径Ｄ４と同じにされている。長さＬ３は、首部３０の外径Ｄ４より大きくされている。係合部３２にはその下端面から有底孔３８が形成されている。
【００３１】
係合部３２は、突出部としての角部３２ａを備えている。角部３２ａは、係合部３２の断面において重量体１２の半径方向に突出している。この係合部３２では、角部３２ａの半径方向の突出量は、長さＬ３の１／２の長さにされている。
【００３２】
この重量体１２は、キャビティ体１０より比重の大きい材質が用いられる。この重量体１２として、耐久性及び比重の観点から、アルミニウム合金、チタン合金、タングステン合金等の金属が例示される。
【００３３】
図５に示されるように、シャフト６の端部には、凹部としての切欠４０が形成されている。この切欠４０は、シャフト６の周方向に等間隔で形成されている。このシャフト６の他端から、キャビティ体１０の挿入部１６が挿入される。キャビティ体１０の挿入部１６の外周面１６ａがシャフト６の内周面６ａに接して取り付けられる。突起２０が切欠４０に係合する。これにより、キャビティ体１０はシャフト６に対して回止めされている。鍔部１８がシャフト６の端面６ｃに当接する。このキャビティ体１０は、シャフト６の他端に着脱可能に取り付けられる。
【００３４】
重量体１２の係合部３２がキャビティ体１０の貫通孔２２に通される。重量体１２の首部３０及び係合部３２がキャビティ体１０に挿入されて、挿入状態となる。挿入状態では、重量体１２の頭部２８がキャビティ体１０の上面１０ａに当接する。首部３０は貫通孔２２に位置する。係合部３２は孔２４に位置する。
【００３５】
この挿入されただけの状態では、首部３０及び係合部３２は貫通孔２２から引き抜き可能に挿入されている。この重量体１２が引き抜き可能に挿入されている姿勢は、非係合姿勢である。この挿入状態で、重量体１２がキャビティ体１０に対して貫通孔２２の軸線を回転軸に回転させられると、係合部３２が貫通孔２２の縁２２ａに係合する。頭部２８と係合部３２との間に、縁２２ａの一部が入り込む。首部３０及び係合部３２は貫通孔２２から引き抜きできない姿勢になる。この重量体１２がキャビティ体１０から引き抜きできない姿勢は、係合姿勢である。この係合姿勢で、重量体１２はキャビティ体１０に係合して取り付けられる。
【００３６】
図３の角度θは、非係合姿勢にある重量体１２が係合姿勢になるときの回転角の大きさを示している。キャビティ体１０の孔２４の形状は、重量体１２の係合部３２が非係合姿勢から所定の角度θだけ回転させられて係合姿勢まで変化するときに形成される空間形状に近似している。この孔２４の抵抗面２６は、この空間形状に対して半径方向内側向きに突出して形成されている。
【００３７】
図６のドライバー４２は、重量体１２の着脱に使用される。このドライバー４２は、柄４４，軸４６及び刃先４８を備えている。柄４４は、柄本体５０と、柄本体５０の上部からドライバー４２の回転軸に垂直に交差する方向に延びる把持部５２とから形成されている。この把持部５２は、把持部本体５２ａと、蓋体５２ｂとを備えている。
【００３８】
図７に示されるように、把持部本体５２ａに軸４６の後端部４６ａが回止めされて固定されている。軸４６は、その先端部４６ｂが柄４４から突出している。この先端部４６ｂの先端に刃先４８が位置している。刃先４８の断面は四角形である。刃先４８の側面には係合ピン５４が突出している。係合ピン５４は、刃先４８に内蔵されている。図示されないが、刃先４８には、弾性体としてのコイルばねが内蔵されている。このコイルばねの付勢力により、係合ピン５４は刃先４８から突出する向きに付勢されている。
【００３９】
把持部本体５２ａの内部には、一対のポケット５６が形成されている。蓋体５２ｂが閉められている。一方のポケット５６に重量体１２が収容され、他方のポケット５６に重量体５８が収容されている。蓋体５２ｂを開けることで、重量体１２又は５８が取り出し可能になっている。
【００４０】
図示されないが、この重量体１２の切欠３６及び有底孔３８の大きさ及び形状は、重量体５８のそれらと異なっている。これにより、重量体１２と重量体５８とは同じ材料であっても、質量が異なっている。なお、重量体１２と重量体５８とを同じ形状にして、比重の異なる材料が用いられてもよい。
【００４１】
このポケット５６は２つに限られず、１つでもよいし、３つ以上であってもよい。収容される重量体は１つでもよいし、３つ以上であってもよい。刃先４８の断面は、重量体１２の四角孔３４に対応している。刃先４８が係合する重量体１２の孔の断面形状に対応していればよく、前述の四角形に限られない。
【００４２】
図８（ａ）には、シャフト６及びグリップ８のグリップエンド近傍の断面と、キャビティ体１０の断面とが示されている。この断面と共に重量体１２とドライバー４２の軸４６とが示されている。図８（ｂ）は図８（ａ）のＢ−Ｂ断面が示されている。
【００４３】
図８（ｃ）には、非係合姿勢にある重量体１２とキャビティ体１２とが示されている。図８（ｄ）には図８（ｃ）のＤ−Ｄ断面が示されている。図８（ｅ）には、係合姿勢にある重量体１２とキャビティ体１２とが示されている。図８（ｆ）には、図８（ｅ）のＦ−Ｆ断面が示されている。図８（ｆ）の矢印Ｒは、重量体１２と軸４６との回転向きを示している。このゴルフクラブ２では、角度θは４５°にされている。
【００４４】
この図８（ａ）から図８（ｆ）までを参照しつつ、重量体１２の装着方法が説明される。図８（ａ）は、キャップ１４が外された状態が示されている。図示されないが、重量体１２の四角孔３４にドライバー４２の刃先４８が差し込まれている。係合ピン５４が四角孔３４に押し当てられて、四角孔３４と刃先４８とが係合している。これにより、ドライバー４２に重量体１２が支持されている。
【００４５】
この重量体１２が刃先４８と係合した状態でグリップエンドからグリップ８の開口８ｂに差し込まれる。重量体１２の係合部３２がキャビティ体１０の貫通孔２２に通される。頭部２８が鍔部１８に当接する。このようにして図８（ｃ）及び図８（ｄ）に示される非係合姿勢の状態に至る。
【００４６】
非係合姿勢の状態で、ドライバー４２が時計回りに回転させられる。図８（ｄ）の矢印Ｒは、図８（ｆ）と同様にドライバー４２が時計回りの回転させられたときの回転向きを示している。図示されないが、シャフト６の切欠４０とキャビティ体１０と突起２０とが係合している。ドライバー４２の回転により、重量体１２は、キャビティ体１０に対して矢印Ｒの向きに回転する。このとき、２つの切欠４０と２つの突起２０とが係合しているので、キャビティ体１０はシャフト６に確実に支持されている。なお、この切欠４０と突起２０とは、それぞれ３つ以上あってもよい。
【００４７】
係合部３２の角部３２ａが抵抗面２６を摺動しながら、重量体１２はキャビティ体１０に対して回転する。抵抗面２６は係合部３２の回転に対して回転抵抗を付与する。この摺動により、キャビティ体１０は弾性変形させられている。重量体１２が角度θだけ回転すると、角部３２ａは孔２４の当接面２７に当接する。角部３２ａは、抵抗面２６と当接面２７とに回転方向に位置決めされる。係合部３２の角部３２ａは、キャビティ体１０の貫通孔２２に係合する。この重量体１２は、キャビティ体１０に対して回転方向及び軸方向の位置決めがされる。このようにして図８（ｅ）及び図８（f）に示される係合姿勢の状態に至る。
【００４８】
図８（ｅ）及び図８（f）に示されるように、重量体１２はキャビティ体１０に位置決め固定されて取り付けられている。図示されないが、ドライバー４２がシャフト６から離れる向きに引き抜かれる。重量体１２の四角孔３４から刃先４８が引き抜かれる。グリップ８の開口８ｂにキャップ１４がされる。なお、キャップ１４はなくてもよい。
【００４９】
重量体１２を他の重量体５８に交換する方法が説明される。キャップ１４が外される。ドライバー４２の刃先４８が重量体１２の四角孔３４に差し込まれる。重量体１２は、図８（ｅ）及び図８（ｆ）の係合姿勢にある。ドライバー４２が反時計回り（図８（ｆ）の矢印Ｒと逆向き）に回転させられる。重量体１２は、キャビティ体１０に対して反時計回りの向きに回転する。係合部３２の角部３２ａが抵抗面２６を摺動しながら、重量体１２はキャビティ体１０に対して回転する。この摺動により、キャビティ体１０は弾性変形させられる。重量体１２が角度θ（図８（ｆ）参照）だけ反時計回りに回転すると、係合姿勢から非係合姿勢に変化する。図８（ｃ）及び図８（ｄ）の状態に至る。
【００５０】
ドライバー４２がシャフト６から離れる向きに引き抜かれる。四角孔３４と刃先４８とが係合しているので、重量体１２はシャフト６から離れる向きに引き抜かれる。係合部３２は貫通孔２２を通って、重量体１２がキャビティ体１０から引き抜かれる。この様にして、図８（ａ）及び図８（ｂ）の状態に至る。
【００５１】
ドライバー４２の刃先４８から重量体１２が外される。ドライバー４２の蓋体５２ｂが開けられて、空いているポケット５６に重量体１２が収容される（図７参照）。もう一方のポケット５６に収容されている重量体５８が取り出される。ドライバー４２の刃先４８に重量体５８が取り付けられる。前述の重量体１２の装着方法と同様にして、重量体５８がキャビティ体１０に装着される。重量体１２と重量体５８とは質量が異なっているので、ゴルフクラブ２のクラブバランスが変化する。
【００５２】
このゴルフクラブ２では、角度θだけ回転させられることで、重量体１２がキャビティ体１０に固定される。また、角度θだけ逆回転させることで、固定が解除される。このゴルフクラブ２は、重量体２の着脱が容易にされている。容易に着脱する観点から角度θは、９０°以下が好ましく、４５°以下が更に好ましい。
【００５３】
この装着構造は例示であって、この装着方法に限定されるものではない。例えば、いわゆるＢＮＣコネクタ方式の装着構造であってもよい。また、キャビティ体１０に重量体１２が着脱可能に確実に固定さる観点から、単に、キャビティ体１０に重量体１２がネジ込まれて止めされていてもよい。
【００５４】
図２に示されるように、重量体１２が装着されたゴルフクラブ２が準備される。ゴルファーがグリップ８を握ってスイングする。図示されないボールが打撃される。ボールが打撃されると、ゴルフクラブ２を介して、ゴルファーの手に打撃振動が伝えられる。
【００５５】
この打撃振動の振動エネルギーは、弾性体からなるキャビティ体１０に収容された重量体１２の運動エネルギーに変換される。このキャビティ体１０及び重量体１２は、シャフト６の振動エネルギーを重量体１２の運動エネルギーに変換することで、打撃振動を緩和している。
【００５６】
キャビティ体１０に重量体１２を確実に固定する観点から、キャビティ体１０の樹脂の複素弾性率は、１．０×１０８ｄｙｎ／ｃｍ２以上が好ましく、５．０×１０８ｄｙｎ／ｃｍ２以上が更に好ましい。振動吸収性の観点から、この複素弾性率は、１．０×１０１０ｄｙｎ／ｃｍ２以下が好ましく、５．０×１０９ｄｙｎ／ｃｍ２以下が更に好ましい。
【００５７】
上記複素弾性率を有する材料として、例えば、三井デュポンケミカル社製の商品名「ハイミラン１６０５」、アルケマ（ＡＲＫＥＭＡ）社製の商品名「ペバックス５５３３」又は同社の商品名「ＲＩＬＳＡＮ−ＢＭＮＯ」（１１−Ｎｙｌｏｎ）が例示される。
【００５８】
上記複素弾性率の測定は、粘弾性測定装置（島津製作所社製の粘弾性スペクトロメータＤＶＡ２００改良型）を用いて測定されうる。測定条件は以下の通りである。
試験片の寸法      ：幅４．０ｍｍ、厚み２．０ｍｍ、長さ３０．０ｍｍ
変位部分の長さ寸法：２０．０ｍｍ（３０．０ｍｍのうち両端各５．０ｍｍを挟持）
周波数            ：１０Ｈｚ
昇温速度          ：２℃／ｍｉｎ
初期ひずみ        ：２ｍｍ
変位振幅幅        ：±１２．５μｍ
測定温度          ：５℃
【００５９】
図９（ａ）には、本発明の他の実施形態に係るゴルフクラブのキャビティ体６２が示されている。このキャビティ体６２の形状は、キャビティ体１０のそれと同様である。このキャビティ体６２は、その上部に位置する上部６４と、その上部６４の下に位置する中部６６と、その中部６６の下に位置する下部６８とからなる。この中部６６のポリマーは、上部６４及び下部６８のそれと異なっている。中部６６のポリマーの複素弾性率は、上部６４及び下部６８の複素弾性率より小さくされている。
【００６０】
このキャビティ体６２は、異なる二種類のポリマーがシャフト６に接する。異なる二種類のポリマーが重量体１２に接する。二種類のポリマーを組み合わせることで、異なる周波数の振動エネルギーが吸収されうる。
【００６１】
また、上部６４及び下部６８のポリマーの複素弾性率を大きくしているので、重量体１２を確実に固定し得る。キャビティ体６２はシャフト６に確実に固定し得る。好ましくは、上部６４及び下部６８の複素弾性率は、１．０×１０８ｄｙｎ／ｃｍ２以上が好ましく、５．０×１０８ｄｙｎ／ｃｍ２以上が更に好ましい。上部６４及び下部６８の複素弾性率は、１．０×１０１０ｄｙｎ／ｃｍ２以下が好ましく、５．０×１０９ｄｙｎ／ｃｍ２以下が更に好ましい。中部６６の複素弾性率は、５．０×１０９ｄｙｎ／ｃｍ２以下が好ましく、１．０×１０９ｄｙｎ／ｃｍ２以下が更に好ましく、５．０×１０８ｄｙｎ／ｃｍ２以下が特に好ましい。
【００６２】
このキャビティ体６２の上部６４と、中部６６と、下部６８とが、それぞれ複素弾性率の異なるポリマーからなってもよい。更に４種類以上のポリマーからなってもよい。
【００６３】
図９（ｂ）には、本発明の更に他の実施形態に係るゴルフクラブのキャビティ体７０が示されている。このキャビティ体７０の形状は、キャビティ体１０のそれと同様である。このキャビティ体７０は、その外周側に位置する外周部７２と、その内周側に位置する内周部７４とからなる。この外周部７２のポリマーは、内周部７４のそれと異なっている。外周部７２のポリマーの複素弾性率は、内周部７４の複素弾性率より大きくされている。
【００６４】
このキャビティ体７０では、外周部７２のポリマーは内周部７４のポリマーより複素弾性率が小さくされてもよい。このキャビティ体７０は二種類のポリマーからなるので、異なる周波数の振動エネルギーが吸収されやすい。好ましくは、外周部７２及び内周部７４の複素弾性率は、１．０×１０８ｄｙｎ／ｃｍ２以上が好ましく、５．０×１０８ｄｙｎ／ｃｍ２以上が更に好ましい。外周部７２及び内周部７４の複素弾性率は、１．０×１０１０ｄｙｎ／ｃｍ２以下が好ましく、５．０×１０９ｄｙｎ／ｃｍ２以下が更に好ましい。
【００６５】
図１０には、本発明に係る更に他のゴルフクラブ７６のグリップエンド近傍の断面が示されている。このゴルフクラブ７６は、キャビティ体７８とグリップ８０が異なるが、他の構成はゴルフクラブ２と同様である。
【００６６】
キャビティ体７８の鍔８２はキャビティ体１０の鍔１８に比べて軸方向に長くされている。これにより、ゴルフクラブ７６は、クラブバランスが変更されると共に長さが変更されている。この長さの変更に伴い、グリップ８に代えてグリップ８０が用いられている。
【００６７】
ゴルフクラブ７６は、軸方向の長さの異なる複数のキャビティ体を備えることで、その長さを調整可能にし得る。重量体１２の位置も大きく変更し得る。このゴルフクラブ７６は、重量体の変更と重量体の取付位置とを容易に変更可能にされている。ゴルフクラブ７６のクラブバランスを容易に広い範囲で調整し得る。更に、例えば、異なるキャビティ体を使用しても共通のグリップを使用することもできる。共通のグリップを使用するときは、キャビティ体７８の鍔部８２の外周面をシャフト６の外周面の延長上に位置させることが好ましい。
【００６８】
以下、実施例によって本発明の効果が明らかにされるが、この実施例の記載に基づいて本発明が限定的に解釈されるべきではない。
【００６９】
［比較例１］
ＳＲＩスポーツ株式会社製の商品名「ＳＲＩＸＯＮ  ＺＲ−７００  ドライバー」がそのまま用いられた。このグリップ質量は、５０ｇであった。
【００７０】
［実施例１から５及び比較例２］
キャップは取り付けない他は、図２に示されたように、グリップエンド近傍が改造された商品名「ＳＲＩＸＯＮ  ＺＲ−７００  ドライバー」の改造クラブを用意した。この改造クラブのグリップ質量は４４ｇとした。この改造クラブに表１に示されたキャビティ体及び重量体が装着されて、実施例１から５及び比較例２のゴルフクラブを得た。
【００７１】
［評価］
評価方法は次の通りである。
【００７２】
［スイングウェイトの測定］
ＤＡＩＮＩＮ社製の商品名「ＢＡＮＣＥＲ−１４」を用いて測定した。このスイングウェイトは、１４インチ方式である。この測定値が、下記の表１に示される。
【００７３】
［面外一次振動減衰率の測定］
図１１は、面外一次振動減衰率の測定の様子を示す。この測定では、シャフト６にグリップ８が装着されたグリップ付きシャフト８６が用いられる。このグリップ付きシャフト８６のグリップ側端部に、紐８８が取り付けられる。また、グリップエンドから３７０ｍｍの地点に、加速度ピックアップ計９０が取り付けられる。紐８８を用いて、グリップ付きシャフト８６が吊り下げられる。この吊り下げられた状態で、加速度ピックアップ計９０の反対側（裏側）を、インパクトハンマー９２で叩き、加振がなされる。インパクトハンマー９２に取り付けられたフォースピックアップ計９４により、入力振動Ｆが計測される。また、加速度ピックアップ計９０により、応答振動αが計測される。応答振動αは、アンプ９６を介して、周波数解析装置１００に入力される。入力振動Ｆは、アンプ９８を介して、周波数解析装置１００に入力される。周波数解析装置１００として、ヒューレットパッカード社製のダイナミックシングルアナライザー ＨＰ３５６２Ａが用いられた。解析で得られた周波数領域での伝達関数を求め、グリップ付きシャフト８６の振動数を得た。下式により求められる振動減衰率（ζ）が、面外一次振動減衰率である。
ζ＝（１／２）×（△ω／ωｎ）
Ｔｏ＝Ｔｎ×√２
ただし、図１２のグラフが示すように、ωｎは１次の極大値の周波数であり、Δω、Ｔｎ及びＴ０の意味は、図１２のグラフに示す通りである。
【００７４】
［振り易さ及び振動吸収性の官能評価］
中・上級者（ゴルフ歴１０年以上であり、現在も月１回以上プレーする条件を満たすゴルファー）２０名が、実施例および比較例のゴルフクラブで打球した。各クラブで５球ずつボールを打ち、振り易さ及び振動吸収性について１点から５点までの５段階で官能評価を行った。振動吸収性が高いと感じられたものほど、点数が大きい。点数の平均が、下記の表１に示される。
【００７５】
【表１】
0005752411.tif 000002
【００７６】
表１に示されるように、実施例は、比較例に比べて評価が高い。この評価結果から、本発明の優位性は明らかである。
【産業上の利用可能性】
【００７７】
以上説明された発明は、あらゆるゴルフクラブに適用されうる。本発明は、ウッド型ゴルフクラブ、アイアン型ゴルフクラブ、パタークラブ等に用いられうる。
【符号の説明】
【００７８】
２、７６・・・ゴルフクラブ
４・・・ヘッド
６・・・シャフト
６ａ・・・内周面
６ｃ・・・端面
８、８０・・・グリップ
１０、６２、７０、７８・・・キャビティ体
１２、５８・・・重量体
１４・・・キャップ
１６・・・挿入部
１６ａ・・・外周面
１８、８２・・・鍔部
２０・・・突起
２２・・・貫通孔
２２ａ・・・縁
２４・・・孔
２５・・・内面
２６・・・抵抗面
２７・・・当接面
２８・・・頭部
３０・・・首部
３２・・・係合部
３２ａ・・・角部
４０・・・切欠
【図１】
0005752411.tif 000003
【図２】
0005752411.tif 000004
【図３】
0005752411.tif 000005
【図４】
0005752411.tif 000006
【図５】
0005752411.tif 000007
【図６】
0005752411.tif 000008
【図７】
0005752411.tif 000009
【図８】
0005752411.tif 000010
【図９】
0005752411.tif 000011
【図１０】
0005752411.tif 000012
【図１１】
0005752411.tif 000013
【図１２】
0005752411.tif 000014